(57)【特許請求の範囲】
【請求項１】
容器の頂部列及び容器の底部列を備え、横倒しで一方の上に積み重ねた複数の列の複数の円筒形の容器のためのカートンであって、
出口端部（126）を有し、長手方向の折り目（116, 117）で分離されたトップパネル（112）、２つのサイドパネル（113, 114）、ボトムパネル（118）及び２つの閉じた端部（126, 127）と、
前記トップパネル、前記２つのサイドパネル、前記ボトムパネルに対して端部フラップ（131, 133, 132, 134）を画成する、前記閉じた端部のそれぞれに設けられた横方向の折り目（123, 124）と、
前記カートンの前記出口端部に形成された破断ライン（140）であって、第１の方向転換点（143）まで前記カートンの前記出口端部において前記サイドパネルの前記端部フラップ（133, 134）を横切って延在し、その後、第２の方向転換点（144）まで前記端部フラップの各々を通って連続し、さらに、前記破断ラインが前記トップパネルと前記サイドパネルとの間の前記長手方向の折り目（116, 117）に重なり、前記カートンに対してヒンジ付けされる開封セクション（141）を画成する、破断ライン（140）と
を備え、前記容器の頂部列は、トップエンドの容器(C)を含み、前記容器の底部列はボトムエンドの容器(C)を含み、前記トップエンドの容器と前記ボトムエンドの容器は、前記カートンの前記出口端部に接触し、前記トップパネルが前記長手方向の折り目に沿って分離されると、前記トップエンドの容器の全体が露出することを特徴とするカートン。
【請求項２】
前記トップパネルを横切って、かつ前記サイドパネル間に延在し、前記破断ラインと交差する脆弱ライン（148, 153）を更に有することを特徴とする請求項１に記載のカートン。
【請求項３】
前記容器の頂部列と前記容器の底部列が形成され、前記容器の頂部列の前記容器が前記容器の底部列の対応する前記容器上に直接配置されるように、前記容器は、その側面において前記カートン内に搭載されることを特徴とする請求項１に記載のカートン。
【請求項４】
前記容器は、前記容器の頂部列、前記容器の底部列、及び前記容器の頂部列と前記容器の底部列の間に少なくとも一つの容器の中間列が形成されるように、その側面において前記カートン内に搭載されることを特徴とする請求項１に記載のカートン。
【請求項５】
前記破断ラインは連続した破断ラインであり、前記出口端部の前記２つのサイドパネルの前記端部フラップを横切り、前記第２の方向転換点を通ったあと、少なくとも一つの容器の直径の距離で前記トップパネルに沿って延在し、前記カートン内の前記容器にアクセスすることを許容することを特徴とする請求項１に記載のカートン。
【請求項６】
前記破断ラインの前記第１の方向転換点及び第２の方向転換点の間で、前記２つのサイドパネルの前記端部フラップを横切って延在し、前記開封セクション内にフラップを画成する折り目（149）を更に有することを特徴とする請求項１に記載のカートン。
【請求項７】
前記破断ラインは、前記トップパネルに沿って延在し、前記開封セクションが前記カートンのディスペンサ開口(129)を形成するためにその周りで旋回できるヒンジを画成することを特徴とする請求項１に記載のカートン。
【請求項８】
前記トップパネルは、前記カートンの頂部全体を横切って延在していることを特徴とする請求項１に記載のカートン。
【請求項９】
前記トップパネル内にハンドルを有することを特徴とする請求項１に記載のカートン。
【発明の詳細な説明】
【技術分野】
【０００１】
［発明の分野］
本発明は、包括的には、物品の収納及び搬送用のカートンに関し、特に、カートン内に収納されている物品又は容器を陳列及び販売するためのディスペンサを画定するために開口特徴部を組み込んだ板紙製カートンに関する。
【背景技術】
【０００２】
［関連出願の相互参照］
本発明は、２００３年１０月１５日に出願された米国仮特許出願第６０／５１１，５８６号の優先権を主張する。
【０００３】
［発明の背景］
段ボール、板紙、又は同様の材料からできているカートンは、飲料用缶及び他の食品等、種々のタイプの物品を収納及び搬送するために長年にわたって用いられてきた。例えば、瓶又は缶に入れられた清涼飲料及びビール等の飲料は、通常、板紙製又は段ボール製のカートン内に６パック、８パック、１２パック、さらには２４パックの構成で包装される。このようなカートンは、瓶又は缶等の容器を収納及び搬送するために用いられているだけでなく、さらに、内部に収容されている物品の排出を可能にするためにカートンの切り離しセクションを含む排出特徴部を備えるように開発されてきた。しかしながら、これらのディスペンサの中には、開封すると内部に収納されている複数の容器、特に瓶又は缶がカートンから転がり出る傾向があるという欠点を有するものがある。代替的に、多くの従来の排出カートンには、一度に取り出すことができる物品の数を制限するためにサイズ又は容積が限られていることが多い排出特徴部又は開口特徴部が設けられているが、これは、カートン内に収納されている容器又は他の物品を容易且つきれいに取り出すことを困難にし得る。さらに、小売業環境では、製品は、消費者が容易にアクセスする（access：手に取る）ことができるだけでなく目立つように陳列されることも重要であるが、従来、小売業者はカートンから容器又は物品を全て取り出して、陳列及び容易なアクセスのために棚に積んでいた。
【発明の開示】
【発明が解決しようとする課題】
【０００４】
したがって、実質的に一度に１つずつの物品の排出を可能にし、且つ従来技術における上記の問題や他の関連又は無関連の問題に対処する、飲料用缶及び他の同様な物品等、種々のタイプの物品のためのカートンが必要とされていることが分かる。
【課題を解決するための手段】
【０００５】
［発明の概要］
簡潔に述べると、本発明は、包括的には、カートン内に収納されている容器の収納、搬送、陳列、及び排出又は販売用の陳列／販売カートンに関する。カートンは通常、カートンブランクとして最初に形成される板紙、段ボール、又は他の同様の材料から形成される。カートンブランクは、包装機に供給されると、スリーブ状に折り畳まれ、その中に飲料用缶又は瓶、冷凍ビスケットのチューブ等、一連の物品又は容器が充填されるか、又はカートンブランクが物品の周りで折り畳まれるか若しくは物品に巻き付けられる。物品又は容器は通常、鉛直方向に積み重なったほぼ平行な段状に充填され、一般的にはカートン内に２〜３段以上の容器が積み重ねられる。その後、カートンの端部が折り閉じられて接着剤又は他の綴じ付け機構等によって固定され、密閉された陳列／販売カートンが形成される。
【０００６】
例示的な一実施形態では、カートンブランクは、第１の折り目に沿って第１のサイドパネルに取り付けられるとともに第１のサイドパネルの向かい側に沿って第２の折り目によって第２のサイドパネルに取り付けられる、トップパネルを含む。サイドパネルはそれぞれ、第３の折り目及び第４の折り目に沿ってボトムパネル折り曲げ部に接続することができ、ボトムパネル折り曲げ部は、密閉カートンのボトムパネルを形成又は画定するように折り畳まれて互いに接着されるように設計される。代替的に、ボトムパネルを第３の折り目によってトップパネルの向かい側で第１のサイドパネルに取り付けることができ、取り付け折り曲げ部が第４の折り目によってトップパネルの向かい側の縁部に沿って第２のサイドパネルに取り付けられる。代替的に、第５の横方向の折り目及び第６の横方向の折り目が、ボトムパネル端部折り曲げ部、サイドパネル端部折り曲げ部、及びトップパネル端部折り曲げ部を画定するように、第１の縦方向の折り目〜第４の縦方向の折り目に垂直な方向にボトムパネル、サイドパネル、及びトップパネルに延びる。端部折り曲げ部は、製品及び容器を内部に充填するためにブランクをスリーブ状に折り畳んだ後でカートンの端部を密閉する重なり合い構成で互いに折り重ねられるようになっている。これらの閉鎖端部の一方はさらに、密閉カートンからの製品又は容器の取り出し又は排出のためにディスペンサが形成される出口端部となる。
【０００７】
カートンの出口端部には概して脆弱ライン又は分離ラインが形成され、これは通常、カートンの出口端部の除去可能な開封セクションのための破断ラインを画定するために、一連のミシン目、切れ目、及び切り込みを含む。これにより、開封セクションを少なくとも部分的にカートンから切り離すか又は除去して、カートンからの容器の取り出し及び排出用のディスペンサ開口を形成することが可能になる。破断ラインの第１の部分は、概して、カートンの出口端部の前を横に、サイドパネル端部折り曲げ部を通って延びてから曲がり、サイドパネル端部折り曲げ部を通ってサイドパネルとトップパネルとの間の第１の折り目及び第２の折り目に向かって上方に曲がり、延びる。その後、破断ラインはトップパネルに延びるセクション又は部分を含む。
【０００８】
使用の際には、開封セクションは概して、カートンの出口端部から破断ラインに沿って切り離されて、カートン内に収納されている容器又は製品を取り出すことができるディスペンサ開口を形成する。開封セクションは通常、トップパネルの破断ラインのセクションに沿って後方に、ヒンジ式に取り付けられるか又は枢着されて、再封可能な折り曲げ部を提供するが、必要に応じて破断ラインによってカートンから完全に分離して除去することがさらに可能である。
【０００９】
代替的に、破断ラインは、トップパネルのより大きな部分、場合によっては必要又は所望に応じて全部の除去を可能にするように、第１の折り目及び第２の折り目に沿ってさらに延びていてもよい。さらに、破断ラインは、カートンからの製品又は容器の陳列及び引き出し又は取り出しのためのさらに拡大されたディスペンサ開口を提供するために、必要に応じて、サイドパネルのうちトップパネルとサイドパネルとの間の折り目から離間してこの折り目と平行に延びる場所に延びていてもよい。
【００１０】
本発明の種々の目的、特徴、及び利点は、添付図面とともに以下の詳細な説明を読めば当業者には明らかとなるであろう。
【発明を実施するための最良の形態】
【００１１】
［発明の詳細な説明］
次に、いくつかの図にわたって同じ符号が同じ部分を示す図面を参照すると、図１〜図４は、缶、瓶、及び同様の製品を収納、搬送、陳列、及び販売するために主に設計される本発明の陳列／販売カートン１０／１００の例示的な実施形態を示す。例えば、本出願は、清涼飲料及びビール又は他の液体製品を入れるために用いられるタイプの缶及び瓶、並びに冷凍ビスケット、ロール等の種々のタイプの食品の缶又はチューブとともに用いることができる。しかしながら、本発明はさらに、ほぼ円筒形の瓶又は缶以外の種々の他のタイプ又は構成の製品の収納、搬送、陳列及び販売、及び排出に用いられてもよいことも理解されるであろう。さらに、図１及び図３のカートン１０／１００は内部に２〜３段の容器Ｃが積み重なって（すなわち、２×６、３×４等の配列で）示されているが、本発明は２段又は３段の容器のみに限定されず、２×４、２×５、２×６、３×４、３×５等を含む様々な異なる配列又は構成の容器の収納、搬送、陳列／販売、及び排出に用いることができることが、当業者には理解されるであろう。
【００１２】
図１及び図２に全体的に示す本発明の第１の実施形態では、カートン１０は概してカートンブランク１１から形成され、カートンブランク１１自体は概して、板紙、段ボール、プラスチック、又は包装業界又は包装分野で一般に用いられるような他の同様の材料等、折り畳み可能な材料シートから形成される。図２に全体的に示すように、平坦な展開構成で示すカートンブランク１１は、長手方向の第１の折り目１４によって第１のサイドパネル１３に接続されるとともに、第１の折り目１４と平行に長手方向に延びる第２の折り目１７によって第２のサイドパネル１６に接続される、トップパネル１２を含む。第１のサイドパネル１３及び第２のサイドパネル１６はそれぞれ、図２に全体的に示すように第１の折り目１４及び第２の折り目１７と平行に長手方向に延びる第３の折り目２１及び第４の折り目２２それぞれによって、トップパネルの向かい側の縁部が第１のボトムパネル（折り曲げ部）１８及び第２のボトムパネル（折り曲げ部）１９に取り付けられる。ボトムパネル１８及び１９は概して、重なり合い構成になるように互いに折りたたまれて、通常は接着材料で互いに取り付けられるようになっているが、密閉カートン１０のボトムパネル２３（図１）を画定及び形成するようにボトムパネル折り曲げ部を互いに係止させるための、嵌合タブ及びスロット（図示せず）が形成されてもよい。
【００１３】
カートン１０はさらに、概して、図１及び図２に示すスロットタイプのハンドルとして形成することができるハンドル２４を含むが、「レーストラック」ハンドル又は他の既知のタイプのハンドル構造等、他の種々のタイプのハンドルも含むことができる。密閉カートン１０はさらに、概して、第１の閉鎖した出口端部２６及び第２の閉鎖端部２７を含み、出口端部２６はさらに、カートンのディスペンサ２８（図１）が画定される排出又は出口端部となるようになっており、ここを通してカートンから容器Ｃにアクセスして排出又は取り出しを行うことができる。
【００１４】
図２にさらに示すように、カートンブランク１１はさらに、平行な長手方向の折り目１４、１７、２１、及び２２に直交する方向、すなわち垂直な方向に延びる横方向の第５の折り目３１及び第６の折り目３２を含む。横方向に延びる第５の折り目及び第６の折り目は、ボトムパネル１８及び１９、サイドパネル１３及び１６、並びにトップパネル１２を、ボトムパネル端部折り曲げ部、すなわち端部フラップ３３、第１のサイド端部フラップ（サイドパネル端部折り曲げ部）、すなわち端部フラップ３４及び第２のサイド端部フラップ（サイドパネル端部折り曲げ部）、すなわち端部フラップ３６、並びにトップ端部フラップ（トップパネル端部折り曲げ部）、すなわち端部フラップ３７を含む、一連の端部フラップ（端部折り曲げ部）に折り畳み可能に接続する。
【００１５】
使用の際には、ブランク１１は、サイドパネル１３及び１６を第１の折り目１４及び第２の折り目１７に沿ってトップパネル１２に対して折り畳んで端部開口スリーブを形成しながら、ボトムパネル１８及び１９（図２）を内側に折り畳むことによって、カートン１０（図１）になるように形成される。次に、ボトムパネル端部折り曲げ部は概して、接着材料又は糊材料等で互いに取り付けられるか又はシールされるが、係止タブ及び対応する嵌合スロット、又は他の係止開口等、ボトムパネル折り曲げ部に形成される他の取り付け機構を用いることもできる。通常、容器Ｃ（図１）はカートンスリーブの一方の端部からカートンスリーブに充填され、これらは通常、図１に３８及び３９で示す少なくとも２段の容器Ｃである。本発明のこの実施形態は平行に積み重なった２段の容器の使用を示しているが、本発明は、一段の容器を並べて入れて、又は図３に示すように３段以上の容器を平行に積み重ねて用いることもできることが、当業者には理解されるであろう。
【００１６】
カートン１０（図１）が完全に充填された後で、カートン１０の出口端部２６及び端部２７にある種々の端部折り曲げ部は概して、閉位置に折り畳まれ、糊又は他の接着材料の塗布、又は係止タブ及び対応する嵌合スロット（図示せず）の使用等によって固定される。例えば、端部フラップ３３を閉位置に折り上げることができ、その後、端部フラップ３７がボトムパネル端部折り曲げ部の上に折り下げられる。次に、端部フラップ３４及び端部フラップ３６が、ボトムパネル端部折り曲げ部及びトップパネル端部折り曲げ部の上に側方から折り畳まれ、通常は、カートン１０の端部を閉じるために糊又は同様の接着材料がこれらの端部折り曲げ部間に塗布されて、サイドパネル端部折り曲げ部、ボトムパネル端部折り曲げ部、及びトップパネル端部折り曲げ部を互いに固定する。
【００１７】
図２に示すように、破断ライン（脆弱ライン）４５が、端部フラップ３４、３６を通り、カートンの出口端部２６に隣接してトップパネル１２を通って、カートンブランク１１に形成される。破断ライン４５は概して、カートンブランクの材料に刻まれるか又は他の方法で形成される一連のミシン目、切れ目、刻み目、又は切り込みから形成され、図１に示すようにカートン１０の出口端部２６にディスペンサ２８を画定又は形成する除去可能な開封セクション４６を画定する。
【００１８】
破断ライン４５は概して、最初の又は第１の横部分４７を画定するように、カートンの出口端部側の端部フラップ３４及び端部フラップ３６それぞれを横切って横に延びる。図２に示すように、破断ライン４５は、サイドパネル端部折り曲げ部それぞれを横切って第１の方向転換点４８まで延び、そこで破断ラインが約６０°〜９０°以下の角度で曲がり、各サイドパネル端部折り曲げ部の長さに沿って延びて、カートンブランク１１の横方向の第５の折り目３１とほぼ平行に延びる第２の部分４９となる。端部フラップ３７及びトップパネル１２に隣接した第３の方向転換点５０において、破断ライン４５は再び曲がり、第１のサイドパネル１３及び第２のサイドパネル１６それぞれに沿って第１の折り目１４及び第２の折り目１７それぞれと平行な方向に、カートンの出口端部２６から内側に離間した第４の方向転換点５２まで延びる第３の部分５１を含む。第４の方向変換点５２は、カートンの出口端部２６から任意の所定の距離に選択又は形成することができるが、通常は、カートンから容器にアクセスして取り出すために、図１に示すように容器Ｃの直径の約１つ分以上の距離だけトップパネル及びサイドパネルに沿って出口端部２６から離間する。
【００１９】
図２に示す第４の方向転換点５２において、破断ライン４５は、約７０°〜９０°の角度で曲がり、概してトップパネル部分又は脆弱ライン５３を含み、これは破断ラインの一部として、又は破断ライン４５とは別に形成することができ、トップパネルを横切って、第５の横方向の折り目３１及びカートンの出口端部２６とほぼ平行な方向に延びる。破断ライン４５のうち横に延びるトップパネル部分５３は概して、ディスペンサ開口５６を形成又は画定するために除去可能な開封セクション４６を矢印５４及び５４’（図１）の方向に枢動させることができるヒンジライン又はピボットラインを画定し、ディスペンサ開口５６は概して、図１に示すようにカートン内からの容器Ｃにアクセスして排出又は販売するために、容器の直径の約１つ分以上の大きさである。
【００２０】
さらに、除去可能な開封セクション４６には、サイドパネル端部折り曲げ部それぞれに形成される破断ライン４５の第２の部分４９間に横に延びて、破断ラインの下側又は第１の横部分４７から離間してこれとほぼ平行に延びる折り目５７（図２）を形成することができる。したがって、折り目５７及び破断ライン４５の第１の横部分４７は、除去可能な開封セクション４６の把持若しくは係合部分又は指フラップ（指折り曲げ部）５８を画定する。使用の際には、ユーザは係合部分５８を押すことによって、破断ライン４５の下側横部分４７に沿って破断ライン４５のミシン目を分離した後で、除去可能な開封セクションを矢印５４の方向に引き上げ、すなわち上方に枢動させて、カートンのディスペンサ開口を形成して開けることができる。その後、所望であれば、除去可能な開封セクションを矢印５４’の方向に下方に枢動させて、必要又は所望に応じてディスペンサ開口を再封することができ、その際、係合部分５８が、除去可能な開封セクションを把持してその開位置と閉位置との間で動かすことができるタブ又は他の部分を提供する。破断ライン４５のミシン目をその横に延びるトップパネル部分５３に沿って分離することによって、除去可能な開封部分を完全に分離することも可能である。
【００２１】
したがって、本発明の破断ラインは、開封セクションが少なくとも部分的に除去されると一度に１つ又は複数の容器又は製品の取り出しを可能にするとともに、消費者による内部の製品の容易な陳列及び取り出しも可能にする、下から上に斜めに開く開口特徴部（angled bottom to top opening feature）を画定する。さらに、ディスペンサ２８の構造は、カートン内の製品又は容器の可視性を高めることができるが、排出が望まれないうちは容器がカートンから転がり落ちないようにする、ほぼＬ字形の構成で延びるフロントリテーナ部分又はセクション６２及び６３を含む。
【００２２】
図３及び図４は、一度に１つずつの製品の取り出しを可能にするために下から上に斜めに開く開口特徴部を有するように設計される、本発明のカートン１００の別の例示的な実施形態を示す。図４に示すように、カートンは概して、通常は板紙、段ボール、合成又は他の同様のカートン材料から形成されるカートンブランク１１１から形成される。この実施形態では、カートンブランクは概して、長手方向に延びる第１の折り目１１６及び第２の折り目１１７それぞれに沿って第１のサイドパネル１１３及び第２のサイドパネル１１４に接続されるトップパネル１１２を含む。第１のサイドパネル１１３はさらに、長手方向の第３の折り目１１９に沿ってボトムパネル１１８に折り畳み可能に接続され、第２のサイドパネル１１４は、長手方向に延びる第４の折り目１２２によってボトムパネル取り付けフラップ（折り曲げ部）１２１に接続される。使用の際には、ボトムパネル取り付けフラップ１２１は、内側に折り曲げられて、糊又は他の同様の接着材料等によってボトムパネル１１８に取り付けられるか、又は係止タブ及びスロット（図示せず）によってボトムパネルとともに係止されて、内部に製品を収容するための端部開口スリーブを形成してもよい。図１及び図２に関して上述したように、製品は通常、平行な段状の配列で横倒しで端部開口カートンスリーブ内に収容される。
【００２３】
横方向に延びる第５の折り目１２３及び第６の折り目１２４は、カートン１００の出口端部１２６及び端部１２７においてトップパネル、サイドパネル、及びボトムパネルの端部に延びる。図３に示すように、カートン１００の第１の端部１２６は概して、カートンの出口端部として画定され、この出口端部にはディスペンサ開口１２９を有するディスペンサ１２８が画定され、この出口端部を通してカートンから容器Ｃにアクセスして容器Ｃを排出することができる。図４に示すように、ボトムパネル端部折り曲げ部、すなわち端部フラップ１３１、トップパネル端部折り曲げ部、すなわち端部フラップ１３２、並びに第１のサイドパネル端部折り曲げ部、すなわち端部フラップ１３３及び第２のサイドパネル端部折り曲げ部、すなわち端部フラップ１３４はそれぞれ、カートンの各端部において、横方向の第５の折り目１２３及び第６の折り目１２４に沿ってボトムパネル、トップパネル、並びに第１のサイドパネル及び第２のサイドパネルに取り付けられる。ボトムパネル、サイドパネル、及びトップパネルがスリーブ状又はチューブ状に折り畳まれて製品が充填された後で、端部フラップ１３１、端部フラップ１３２、及び端部フラップ１３３、１３４は概して、カートンの向かい合った出口端部１２６及び１２７をシールして閉じるために閉鎖構成になるように内側に折り畳まれ、通常は糊などの接着材料又は他の取り付け機構で、フラップ（折り曲げ部）をその閉状態で固定するように取り付けられる。
【００２４】
図４にさらに示すように、破断ライン１４０又は脆弱ライン若しくは分離ラインは、切断、切り込み、刻み込み、又は他の方法でカートンブランクに一連の切り込み、刻み目、切れ目、又はミシン目を形成すること等によって、カートンブランクの出口端部２６０に形成される。破断ラインは、第１の折り目１１６及び第２の折り目１１７に隣接してトップパネル１１２に沿って延びて、カートン１１０（図３）のディスペンサ１２８を画定するためのカートンの除去可能な開封セクション１４１を形成する。図４に示すように、破断ライン１４０は、最初に端部フラップ１３３及び端部フラップ１３４を横切って横に延びて、第１のサイドパネル端部折り曲げ部及び第２のサイドパネル端部折り曲げ部それぞれを横切って第１の方向転換点１４３間に延びる下側部分、横部分、又は第１の部分１４２を画定し、第１の方向転換点１４３において、破断ラインは曲がって第１のサイドパネル端部折り曲げ部及び第２のサイドパネル端部折り曲げ部それぞれに沿って上方に湾曲して又は斜めに延びる。破断ラインは、サイドパネル端部折り曲げ部それぞれに沿って、第１の方向転換点１４３から第２の方向転換点１４４まで斜め上方に延びることができる。代替的に、図４に示すように、破断ラインは、第１の中間点１４６まで斜めに延びることができ、その後でわずかに曲がって、第２の方向転換点１４４に達するまで横方向の第５の折り目１２３とほぼ平行に延びることができる。方向転換点１４４に達すると、破断ラインは概して、再び曲がり、トップパネルと第１のサイドパネル及び第２のサイドパネルそれぞれとの間の第１の折り目１１６及び第２の折り目１１７に向かって斜めに延びる。
【００２５】
図示のように、破断ラインは通常、第１の方向転換点１４３又は中間点１４６それぞれと第１の折り目１１６及び第２の折り目１１７に隣接する第２の方向転換点１４４との間に概ね延びる傾斜部分又は曲線部分１４７を含み、その角度は、所望に応じて除去可能な開封セクション１４１又はディスペンサ開口１２９のサイズを変えるために最大約９０°まで変えることができる。さらに、傾斜部分１４７はさらに、ブランク１１１（図４）から形成されるカートン１００（図３）内の容器にアクセスするために必要及び所望に応じて、図２に示し上記した実施形態のように、第１のサイドパネル及び第２のサイドパネルに沿って少なくとも部分的に延びることができる。図４にさらに示すように、破断ライン１４０はさらに、概して、図４に破線１４８で示すように第１の折り目１１６及び第２折り目１１７に沿って、又はこれらに隣接してこれらと平行に概ね延ばして、トップパネルの長さ分だけ延ばすことができる。その結果、除去可能な開封セクション１４１はこのように、図３に示すようにカートン内からの容器の全段にアクセスして取り出すことを可能にするためにカートンの長さにほぼ沿って延びるディスペンサ開口１２９を画定するように、トップパネルのほぼ全体を含むことができる。
【００２６】
さらに、除去可能な開封セクション１４１の前部には、端部フラップ１３３及び端部フラップ１３４（図４）で破断ラインの横部分１４２とほぼ平行に第１の中間点１４６間に延びる、折り目１４９を形成することができる。折り目１４９は、除去可能な開封セクションの指折り曲げ部又は係合部分１５１を画定する。使用の際には、ユーザはこの内側フラップ（折り曲げ部）又は係合部分１５１を押すことによって、破断ラインの下側横部分１４２に沿って破断ラインの切り離し又は分離を開始する。カートン１００を開くには、ユーザは、除去可能な開封セクション１４１を把持し、図３に示す矢印１５２の方向に引き上げ、すなわち上方に動かすことで、破断ライン１４０に沿ってカートンの残りの部分から除去可能なセクションを分離してディスペンサ開口１２９を形成することができる。
【００２７】
この実施形態では、ディスペンサ開口１２９は、容器Ｃの上段全体を露出させることで容器Ｃに容易且つ迅速にアクセスして容器Ｃを取り出すことを可能にするように、トップパネルとほぼ同じサイズとして、すなわちトップパネル１１２がカートンから実質的に除去されるものとして示されている。除去可能な開封セクション１４１はさらに、カートンから切り離す、すなわち完全に除去することができるため、この場合、カートンは小売業環境等において陳列及び排出又は販売カートンとして用いられる。代替的に、図３に示すように、トップパネルを本質的に完全に除去することで、カートン１００内に収納されている容器Ｃの全てにアクセスすることができ、次の容器が前方位置に落下するか又は転がり落ちてアクセス及び取り出しをさらに容易にすることができ、それと同時に、カートン内の容器がカートンから落下しないよう保持されたままその可視性を高めることができる。しかしながら、図３に破線１５３で示すような１つ又は複数の折り目又は破断ライン又は脆弱ラインを、トップパネルの複数の離間した場所に沿って形成することも可能である。これにより、カートン内に収容されている容器へのアクセスを制御するために必要に応じて、トップパネル１１２の一部を部分的にのみ除去することが可能となり、カートンが再封される場合、除去可能なセクションを下ろして矢印１５２’で示すように閉位置に戻すことができる。
【００２８】
本発明は、その種々の好ましい実施形態及び特徴に関して上述したが、添付の特許請求の範囲に記載の本発明の精神及び範囲から逸脱せずに、多くの変形、変更、付加、及び削除を行うことができることが当業者には理解されるであろう。
【図面の簡単な説明】
【００２９】
【図１】  本発明の陳列／販売カートンの例示的な一実施形態の斜視図である。
【図２】  図１による陳列／販売カートンが形成されるカートンブランクの平面図である。
【図３】  本発明の陳列／販売カートンのさらなる代替的な実施形態の斜視図である。
【図４】  図３の陳列／販売カートンが形成されるカートンブランクの平面図である。
【符号の説明】
１２、１２２    トップパネル
１３，１６、１１３、１１４    サイドパネル
１８、１９、１１８    ボトムパネル
２６、２７、１２６、１２７    閉じた端部
２６、１２６    出口端部
２１、１４、１７、２２、１１９、１１６、１１７、１２２    長手方向の折り目
３１、３２、１２３、１２４    横方向の折り目
３３、３４、３７、３６、１３１、１３３、１３２、１３４    端部フラップ
４５、１４０    破断ライン
４８、１４３    第１の方向転換点
５０、１４４    第２の方向転換点
５２    第３の方向転換点
４６、１４１    開封セクション
【図１】
0004994037.tif 000002
【図２】
0004994037.tif 000003
【図３】
0004994037.tif 000004
【図４】
0004994037.tif 000005